(57)【要約】【課題】  投写型カラーディスプレイの電力消費量を増加させることなくＲ，Ｂ画面の水平台形歪みを低減する【解決手段】  スクリーン（５）と、一対の垂直偏向コイル（６〜９）を有する偏向ヨーク（３Ｒ，３Ｇ，３Ｂ）が装着され、赤，緑，青の各画像をそれぞれ投写する赤用，緑用及び青用の陰極線管（１Ｒ，１Ｇ，１Ｂ）と、を備え、この陰極線管（１Ｒ，１Ｇ，１Ｂ）を赤用，青用，緑用の順に並列配置し、各画像をスクリーン（５）上で合成するように投写する構成であって、赤用及び青用の陰極線管（１Ｒ，１Ｂ）について、一対の垂直偏向コイル（６〜９）におけるそれぞれの巻数を異ならせた。【選択図】      図１
2005159805.tif 000002
【特許請求の範囲】
【請求項１】
スクリーンと、
一対の垂直偏向コイルを有する偏向ヨークが装着され、赤，緑，青の各画像をそれぞれ投写する赤用，緑用及び青用の陰極線管と、を備え、
前記陰極線管を赤用，青用，緑用の順に並列配置し、前記各画像を前記スクリーン上で合成するように前記スクリーンに投写する構成の投写型カラーディスプレイであって、
前記赤用及び青用の陰極線管について、前記一対の垂直偏向コイルにおけるそれぞれの巻数を異ならせて成ることを特徴とする投写型カラーディスプレイ。
【発明の詳細な説明】
【技術分野】
【０００１】
本発明は、投写型カラーディスプレイに係る。
【背景技術】
【０００２】
投写型カラーディスプレイは、赤（Ｒ），緑（Ｇ），青（Ｂ）の各色それぞれの画像を写し出す、ネック部に偏向ヨークを装着した投写用陰極線管を備え、そのＲ，Ｇ，Ｂ画像を、光学レンズで拡大しつつ合成してスクリーンに投写する構成のものである。
この投写型カラーディスプレイの従来例として特許文献１に記載されたものがある。
【０００３】
この従来例の投写型カラーディスプレイは、画像の歪みを補正するコンバーゼンスヨーク付きの偏向ヨークを各色の投写管のネック部に搭載し、Ｒ投写管とＢ投写管に装着するコンバーゼンスヨークの偏向感度を、Ｇ投写管に装着したコンバーゼンスヨークの偏向感度よりも良くして成るものである。
【特許文献１】特開平７−２３１４５２号公報
【発明の開示】
【発明が解決しようとする課題】
【０００４】
一般に、投写型カラーディスプレイの陰極線管１Ｒ，１Ｇ，１Ｂは、Ｒ，Ｇ，Ｂの順に配列され、両端側にあるＲ及びＢ用陰極線管１Ｒ，１Ｂは、スクリーン５に対して所定の角度θをもってディスプレイの筐体（図示せず）に固定される（図５参照）。
図５において、偏向ヨーク３０とコンバーゼンスヨーク４０が各陰極線管１Ｒ，１Ｇ，１Ｂのネック部に装着され、画像は拡大レンズ２により拡大されスクリーン５に投写される。そのため、図６（ａ），（ｂ），（ｃ）に示すように、Ｒ，Ｂ画像の投写歪みは、Ｇ用陰極線管の画像よりも大きい。即ち、Ｒ画像は右開き、Ｂ画像は左開きの水平台形歪みを呈する。図６は、スクリーン５を、陰極線管の反対側から見た場合の図である。
【０００５】
特許文献１に記載された投写型カラーディスプレイは、この水平台形歪みをコンバーゼンスヨークの偏向感度に差をもたせて補正しようとするものである。
しかしながら、コアが大型化することで著しいコストアップになると共に、部品点数が増えるという問題があった。
【０００６】
一方、これをコンバーゼンスヨーク４に流す電流を増やして補正する方法も知られている。
しかしながら、この場合、電力消費量が増大すると共にこれを駆動する補正回路（図示せず）がより多量に発熱し、放熱のための部品が大型化してしまう。
特に、省電力が要求されている近年では、この電力消費量をできるだけ低減しなければならず、大きな問題となるものであった。
【０００７】
そこで、本発明の目的は、電力消費量を増加させることなくＲ，Ｂ画面の水平台形歪みを低減する投写型カラーディスプレイを提供することにある。
【課題を解決するための手段】
【０００８】
上記の課題を解決するために、本願発明は手段として次の構成を有する。
即ち、請求項１に係る発明は、スクリーン（５）と、一対の垂直偏向コイル（６〜９）を有する偏向ヨーク（３Ｒ，３Ｇ，３Ｂ）が装着され、赤，緑，青の各画像をそれぞれ投写する赤用，緑用及び青用の陰極線管（１Ｒ，１Ｇ，１Ｂ）と、を備え、前記陰極線管（１Ｒ，１Ｇ，１Ｂ）を赤用，青用，緑用の順に並列配置し、前記各画像を前記スクリーン（５）上で合成するように前記スクリーン（５）に投写する構成の投写型カラーディスプレイであって、
前記赤用及び青用の陰極線管（１Ｒ，１Ｂ）について、前記一対の垂直偏向コイル（６〜９）におけるそれぞれの巻数を異ならせて成ることを特徴とする投写型カラーディスプレイ（５０）である。
【発明の効果】
【０００９】
本発明によれば、消費電力を増やすことなく水平台形歪みを低減できるという効果を奏する。
【発明を実施するための最良の形態】
【００１０】
本発明の実施の形態を、好ましい実施例により図１〜図４を用いて説明する。
図１は、本発明の投写型カラーディスプレイの実施例を示す図であり、
図２は、本発明の投写型カラーディスプレイの実施例における第１の要部とその作用を説明する図であり、
図３は、本発明の投写型カラーディスプレイの実施例における第２の要部とその作用を説明する図であり、
図４は、本発明の投写型カラーディスプレイの実施例で投写される画像を説明する図である。
【００１１】
図１は、本発明の投写型カラーディスプレイの実施例を説明する概略平面図である。
この投写型カラーディスプレイ５０は、スクリーン５と、赤（Ｒ），緑（Ｇ），青（Ｂ）（以下、Ｒ，Ｇ，Ｂと記載する）３色のそれぞれの画像をこのスクリーン５に投写するための陰極線管１Ｒ，１Ｇ，１Ｂと、この陰極線管１Ｒ，１Ｇ，１Ｂの表示画像を拡大する拡大レンズ２とを備えており、これらは、筐体１０に固定されている。
【００１２】
それぞれの陰極線管１Ｒ，１Ｇ，１Ｂには、偏向ヨーク３Ｒ，３Ｇ，３Ｂ及びコンバーゼンスヨーク４，４，４が装着されている。
また、図１における左側から順にＢ，Ｇ，Ｒ用の陰極線管１Ｂ，１Ｇ，１Ｒが水平方向に配列されており、Ｇの投写画像は、スクリーン５に対して垂直に投写され、Ｒ及びＢの投写画像は、スクリーン５に対して所定の角度θで投写される。
【００１３】
図２（ａ）は、本発明の投写型カラーディスプレイの実施例におけるＲ用陰極線管１Ｒに装着される偏向ヨーク３Ｒを図１のＹ−Ｙ断面の概略図であり、左右に配置された一対の垂直偏向コイル９，８を示している。
この偏向ヨーク３Ｒは、右側の垂直偏向コイル８（斜線部）の電線巻数を、左側の垂直偏向コイル９の電線巻数より多くしてある。
このため、右側の垂直偏向コイル８により発生する磁界は、左側の垂直偏向コイル９により発生する磁界よりも強くなり、画面右側の電子ビームを垂直偏向した時の垂直方向振幅が左側の時よりも大きくなる。図２（ａ）の矢印の長さは、この時の垂直方向振幅の大きさを示している。
これにより、表示される画像には、図２（ｂ）のように、陰極線側からみて右開きの補正がかかることになり補正前の左開きの画像歪みと相殺する。
従って、図４（ａ）のように歪みのないＲ画像を得ることができる。
【００１４】
一方、偏向ヨーク３Ｂは、左側の垂直偏向コイル７（斜線部）の電線巻数を、右側の垂直偏向コイル６の電線巻数より多くしてある。
このため、左側の垂直偏向コイル７により発生する磁界は、右側の垂直偏向コイル６により発生する磁界よりも強くなり、画面左側の電子ビームを垂直偏向した時の垂直方向振幅が右側の時よりも大きくなる。図３（ａ）の矢印の長さは、この時の垂直方向振幅の大きさを示している。
これにより、表示される画像には、図３（ｂ）のように、陰極線管側からみて左開きの補正がかかることになり補正前の右開きの画像歪みと相殺する。
従って、図４（ｃ）のように歪みのないＢ画像を得ることができる。
一方、Ｇ画像は水平台形歪みのない画像〔図４（ｂ）参照〕であるので、Ｒ，Ｇ，Ｂの各画像を合成した投写画像も水平台形歪みのない高品位なものになる。
投写画像には上下左右のピンクッション歪みも生じるが、これはコンバーゼンスヨークに適切な補正電流を流すことで補正できる。図４は、このピンクッション歪みを適切に補正した場合を示している。
【００１５】
上述した実施例においては、垂直偏向コイル６〜９に流す電流を増やすことなく、Ｒ，Ｂ画像用偏向ヨーク３Ｒ，３Ｂにおける左右一対の垂直偏向コイル９，８，７，６において、そのそれぞれの巻数をアンバランスにすることで水平台形歪みが補正できる。従って、この補正により投写型カラーディスプレイの消費電力が増加することがない。
【００１６】
上述の実施例における水平台形歪み補正の一例を次に説明する。
補正前の投写スクリーン面上画面での水平台形歪み量比率が正規画面に対して約８〜９％ある投写型カラーディスプレイにおいて、Ｒ用偏向ヨーク３Ｒの垂直偏向コイル７，６の左右の巻数比を１：２とし、Ｂ用偏向ヨーク３Ｂの垂直偏向コイル９，８の左右の巻数比を２：１とした。
この時、Ｒ及びＢの陰極線管１Ｒ，１Ｂの表示面上画面での水平台形歪み量比率が正規画面に対して約８％となり、投写スクリーン面上の水平台形歪み量比率と相殺してこれをほぼ補正することができた。
【００１７】
この場合、巻数比が１のコイルの電線断面積を、巻数比が２のコイルの倍に設定し、コイルの巻型におけるキャビティ内の占積率を同等としている。その方法としては、巻数比が１のコイルの電線径を倍にしたり、あるいは、バイファイラ巻きにする等がある。
【００１８】
ところで、垂直偏向コイルの左右の巻数比を変えることで、水平台形歪み補正量を変えることが可能であり、この巻数比を大きくすると補正量も大きくなる。この関係を表１に示す。
【００１９】
【表１】
2005159805.tif 000003
投写スクリーン面上の水平台形歪み量は、Ｂ，Ｒの画像がスクリーン５に投写する所定の角度θによって決まるので、この角度θに応じて垂直偏向コイル６〜９の左右の巻数比を、その巻数比で得られる表１に示すような補正量とスクリーン５面上画面の水平台形歪み量とが相殺するように設定すればよい。
【００２０】
本発明の実施例は、上述した構成及び手順に限定されるものではなく、本発明の要旨を逸脱しない範囲において変形例としてもよいのは言うまでもない。
上述した実施例では、３つの陰極線管を左からＢ，Ｇ，Ｒの順に配列する一般的な例について説明したが、これに限るものではなく、この色の配列は自由に設定してもよい。その場合は、一列に配置した３つの陰極線管の内、外側の２つの陰極線管の偏向ヨークの垂直偏向コイルについて上述の巻数比を変える構成を適用すればよい。
【図面の簡単な説明】
【００２１】
【図１】本発明の投写型カラーディスプレイの実施例を示す図である。
【図２】本発明の投写型カラーディスプレイの実施例における第１の要部とその作用を説明する図である。
【図３】本発明の投写型カラーディスプレイの実施例における第２の要部とその作用を説明する図である。
【図４】本発明の投写型カラーディスプレイの実施例で投写される画像を説明する図である。
【図５】従来の投写型カラーディスプレイを説明する図である。
【図６】水平台形歪みを説明する図である。
【符号の説明】
【００２２】
１Ｒ，１Ｇ，１Ｂ  陰極線管
２  拡大レンズ
３Ｒ，３Ｇ，３Ｂ  偏向ヨーク
４  コンバーゼンスヨーク
５  スクリーン
６〜９  垂直偏向コイル
１０  筐体
５０  投写型カラーディスプレイ
θ  （投写）角度
【図１】
2005159805.tif 000004
【図２】
2005159805.tif 000005
【図３】
2005159805.tif 000006
【図４】
2005159805.tif 000007
【図５】
2005159805.tif 000008
【図６】
2005159805.tif 000009